(57)【要約】  命令指示方法及び装置、情報交換方法及び装置が提供される。前記命令指示方法は、ビットマップフィールドによりユーザ装置に重複伝送のアクティベーション又はディアクティベーションのための命令を送信することで、前記ユーザ装置における１つ又は複数のPDCP実体又はDRBの重複伝送をアクティベーション又はディアクティベーションすることを含む。これにより、ユーザ装置における１つ又は複数のPDCP実体に対して重複伝送モードのアクティベーション又はディアクティベーションを行うことができる。
2020528687.tif 000002
【特許請求の範囲】
【請求項１】
命令指示装置であって、
ビットマップフィールドによりユーザ装置に重複伝送のアクティベーション又はディアクティベーションのための命令を送信し、前記ユーザ装置における１つ又は複数のパケットデータコンバージェンスプロトコル実体又は無線ベアラの重複伝送をアクティベーション又はディアクティベーションするための命令送信ユニットを含む、装置。
【請求項２】
請求項1に記載の命令指示装置であって、
前記ビットマップフィールドにおける１つのビット又は複数のビットが、１つの前記パケットデータコンバージェンスプロトコル実体又は無線ベアラに対応する、装置。
【請求項３】
請求項2に記載の命令指示装置であって、
前記ビットマップフィールドにおける第i個目のビット又は第i対目（i-th  pair）のビットが、データ無線ベアラ標識がiであるパケットデータコンバージェンスプロトコル実体に対応し；又は
前記ビットマップフィールドにおける第i個目のビット又は第i対目（i-th  pair）のビットが、重複伝送標識がiであるパケットデータコンバージェンスプロトコル実体に対応する、装置。
【請求項４】
請求項2に記載の命令指示装置であって、
前記ビットマップフィールドにおける第i個目のビット又は第i対目（i-th  pair）のビットが、前記ユーザ装置中で重複伝送と設定されるパケットデータコンバージェンスプロトコル実体に対して並べ替えを行った後の第i個目のパケットデータコンバージェンスプロトコル実体に対応する、装置。
【請求項５】
請求項4に記載の命令指示装置であって、
重複伝送と設定される前記パケットデータコンバージェンスプロトコル実体が、ネットワーク装置が重複伝送を設定する先後の順序に従って並べ替えられ、又は、対応するデータ無線ベアラ標識の大小の順序に従って並べ替えられる、装置。
【請求項６】
請求項2に記載の命令指示装置であって、
前記ビットマップフィールドにおける１つのビット又は複数のビットの１つの値が、対応する前記パケットデータコンバージェンスプロトコル実体の重複伝送状態の変更を指示するために用いられ、もう１つの値が、対応する前記パケットデータコンバージェンスプロトコル実体の重複伝送状態の維持を指示するために用いられる、装置。
【請求項７】
請求項2に記載の命令指示装置であって、
前記ビットマップフィールドにおける１つのビット又は複数のビットが、対応する前記パケットデータコンバージェンスプロトコル実体が以下の操作のうちの１つを行うように指示するために用いられ、即ち、
前記パケットデータコンバージェンスプロトコル実体の重複伝送がアクティベーションされ、且つ前記パケットデータコンバージェンスプロトコル実体が同時に複数のリンク上で重複伝送され；
前記パケットデータコンバージェンスプロトコル実体の重複伝送がディアクティベーションされ、且つ前記パケットデータコンバージェンスプロトコル実体が同時に複数のリンク上でスプリット伝送され；及び
前記パケットデータコンバージェンスプロトコル実体の重複伝送がディアクティベーションされ、且つ前記パケットデータコンバージェンスプロトコル実体が指定の無線リンク制御実体上でシングルリンク伝送される操作である、装置。
【請求項８】
請求項1に記載の命令指示装置であって、さらに、
前記ユーザ装置の無線リンク品質及び／又はトラフィック特徴、及び／又は、１つ又は複数のネットワーク装置送信の重複伝送設定通知メッセージに基づいて、前記１つ又は複数のパケットデータコンバージェンスプロトコル実体又は無線ベアラが重複伝送モードをアクティベーションするかを確定するためのモード確定ユニットを含む、装置。
【請求項９】
情報交換装置であって、
１つ又は複数のネットワーク装置送信の重複伝送設定要求メッセージを受信するための要求受信ユニットを含み、
前記重複伝送設定要求メッセージは、ユーザ装置における１つ又は複数のパケットデータコンバージェンスプロトコル実体又は無線ベアラが重複伝送モードをアクティベーションする必要があるかを指示するために用いられる、装置。
【請求項１０】
請求項9に記載の情報交換装置であって、
前記重複伝送設定要求メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１１】
請求項9に記載の情報交換装置であって、さらに、
前記ユーザ装置の無線リンク品質及び／又はトラフィック特徴、及び／又は、前記１つ又は複数のネットワーク装置送信の前記重複伝送設定要求メッセージに基づいて、前記１つ又は複数のパケットデータコンバージェンスプロトコル実体又は無線ベアラが重複伝送モードをアクティベーションするかを確定するためのモード確定ユニットを含む、装置。
【請求項１２】
請求項11に記載の情報交換装置であって、さらに、
１つ又は複数のネットワーク装置に重複伝送設定通知メッセージを送信し、前記１つ又は複数のネットワーク装置に、前記ユーザ装置における１つ又は複数のパケットデータコンバージェンスプロトコル実体又は無線ベアラが重複伝送モードをアクティベーションするかを通知するためのメッセージ送信ユニットを含む、装置。
【請求項１３】
請求項12に記載の情報交換装置であって、
前記重複伝送設定通知メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１４】
請求項12に記載の情報交換装置であって、
前記重複伝送設定通知メッセージは、前記ユーザ装置の標識、及び、１つ又は複数のパケットデータコンバージェンスプロトコル実体又は１つ又は複数の無線ベアラの重複伝送に対してアクティベーション又はディアクティベーションを行うためのビットマップフィールドを含む、装置。
【請求項１５】
情報交換装置であって、
１つ又は複数のネットワーク装置に重複伝送設定通知メッセージを送信し、前記１つ又は複数のネットワーク装置に、ユーザ装置における１つ又は複数のパケットデータコンバージェンスプロトコル実体又は無線ベアラが重複伝送モードをアクティベーションするかを通知するためのメッセージ送信ユニットを含む、装置。
【請求項１６】
請求項15に記載の情報交換装置であって、
前記重複伝送設定通知メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１７】
請求項15に記載の情報交換装置であって、
前記重複伝送設定通知メッセージは、前記ユーザ装置の標識、及び、１つ又は複数のパケットデータコンバージェンスプロトコル実体又は１つ又は複数の無線ベアラの重複伝送に対してアクティベーション又はディアクティベーションを行うためのビットマップフィールドを含む、装置。
【請求項１８】
請求項15に記載の情報交換装置であって、さらに、
前記ユーザ装置の無線リンク品質及び／又はトラフィック特徴、及び／又は、前記１つ又は複数のネットワーク装置送信の重複伝送設定要求メッセージに基づいて、前記１つ又は複数のパケットデータコンバージェンスプロトコル実体又は無線ベアラが重複伝送モードをアクティベーションするかを確定するためのモード確定ユニットを含む、装置。
【請求項１９】
請求項18に記載の情報交換装置であって、さらに、
１つ又は複数のネットワーク装置送信の前記重複伝送設定要求メッセージを受信するための要求受信ユニットを含み、
前記重複伝送設定要求メッセージは、前記ユーザ装置における１つ又は複数のパケットデータコンバージェンスプロトコル実体又は無線ベアラが重複伝送モードをアクティベーションする必要があるかを指示するために用いられる、装置。
【請求項２０】
請求項19に記載の情報交換装置であって、
前記重複伝送設定要求メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【発明の詳細な説明】
【技術分野】
【０００１】
本発明は、通信技術分野に関し、特に、命令指示方法及び装置、情報交換（interaction）方法及び装置に関する。
【背景技術】
【０００２】
3GPP（3rd  Generation  Partnership  Project）では、次世代無線通信システムに関する研究が行われている。高信頼性のデータ伝送をサポートするために、次世代システムでは、PDCP（Packet  Data  Convergence  Protocol）データのマルチリンク上の重複伝送（duplication  transmission）がサポートされる。同じPDCP  PDU（Protocol  Data  Unit）の、複数の異なるリンク上の伝送のダイバーシティ利得を用いることで、PDCP  PDU伝送のエラー確率を下げ、トラフィックの信頼性を保証することができる。
【０００３】
PDCP  PDUの重複伝送のリソース利用率がPDCP  PDUのスプリット伝送（split  transmission；即ち、異なるリンク上で異なるPDCP  PDUを伝送する）の半分である。PDCP  PDUの重複伝送は、大量の無線リソースを犠牲にしてデータ伝送の信頼性を向上させる。
【０００４】
よって、無線リンクの品質が比較的良く、スプリット伝送がデータ伝送の信頼性を満たすときに、重複伝送をディアクティベーション（deactivation）し、スプリット伝送を採用する必要がある。無線リンクの品質が悪くなるときに、データ伝送の信頼性を保証するために、重複伝送をアクティベーション（activation）する必要がある。
【０００５】
一方、ネットワーク装置が、現在の無線リンクの品質及びトラフィックのニーズに応じて、ユーザ装置（UE、User  Equipment）のPDCP  PDUデータの伝送モードを設定することができ、即ち、重複伝送をアクティベーション又はディアクティベーションすることができる。
【０００６】
なお、上述の背景技術についての紹介は、本発明の技術案を明確且つ完全に説明し、また、当業者がそれを理解しやすいためのものである。これらの技術案は、本発明の背景技術の一部に記述されているため、当業者にとって周知であると解釈すべきではない。
【発明の概要】
【発明が解決しようとする課題】
【０００７】
発明者が次のようなことを発見した。即ち、ユーザ装置が複数のネットワーク装置（例えば、基地局）に同時に接続されてマルチ接続伝送を行うときに、各ネットワーク装置は、単独で該ユーザ装置の重複伝送モードに対してアクティベーション又はディアクティベーションを行うことができる。しかし、ネットワーク装置が具体的にどのようにユーザ装置における１つ又は複数のPDCP実体（entity）に対して重複伝送のアクティベーション又はディアクティベーションを行うかについては、今のところ、有効な解決策が存在せず、また、ネットワーク装置側及びユーザ装置側の重複伝送モードに対しての設定に不整合の問題があり、今のところ、このような問題についても、有効な解決策が存在しない。
【０００８】
本発明の実施例は、命令指示方法及び装置、情報交換方法及び装置を提供する。ネットワーク装置がビットマップフィールドによりユーザ装置に重複伝送のアクティベーション又はディアクティベーションのための命令を送信することで、ユーザ装置における１つ又は複数のPDCP実体に対して重複伝送のアクティベーション又はディアクティベーションを行うことができ、また、複数のネットワーク装置間でユーザ装置における１つ又は複数のPDCP実体が重複伝送をアクティベーションするかを指示するための設定要求メッセージ及び／又は設定通知メッセージを送信することで、前記ユーザ装置に接続される複数のネットワーク装置の、重複伝送の設定に対しての理解（認識）が一致するように保証することができる。
【課題を解決するための手段】
【０００９】
本発明の実施例の第一側面によれば、命令指示方法が提供され、それは、
ネットワーク装置がビットマップフィールドによりユーザ装置に重複伝送のアクティベーション又はディアクティベーションのための命令を送信することで、前記ユーザ装置における１つ又は複数のパケットデータコンバージェンスプロトコル実体又は無線ベアラ（RB、Radio  Bearer）の重複伝送をアクティベーション又はディアクティベーションすることを含む。
【００１０】
本発明の実施例の第二側面によれば、命令指示装置が提供され、それは、
ビットマップフィールドによりユーザ装置に重複伝送のアクティベーション又はディアクティベーションのための命令を送信することで、前記ユーザ装置における１つ又は複数のパケットデータコンバージェンスプロトコル実体又は無線ベアラの重複伝送をアクティベーション又はディアクティベーションするための命令送信ユニットを含む。
【００１１】
本発明の実施例の第三側面によれば、命令受信方法が提供され、それは、
ユーザ装置が、ネットワーク装置がビットマップフィールドにより送信する重複伝送のアクティベーション又はディアクティベーションのための命令を受信し；及び
前記ユーザ装置が、前記ビットマップフィールドに基づいて、１つ又は複数のパケットデータコンバージェンスプロトコル実体又は無線ベアラの重複伝送をアクティベーション又はディアクティベーションすることを含む。
【００１２】
本発明の実施例の第四側面によれば、命令受信装置が提供され、それは、
ネットワーク装置がビットマップフィールドにより送信する重複伝送のアクティベーション又はディアクティベーションのための命令を受信するための命令受信ユニット；及び
前記ビットマップフィールドに基づいて、１つ又は複数のパケットデータコンバージェンスプロトコル実体又は無線ベアラの重複伝送をアクティベーション又はディアクティベーションするための伝送処理ユニットを含む。
【００１３】
本発明の実施例の第五側面によれば、情報交換方法が提供され、それは、
ネットワーク装置が、１つ又は複数の他のネットワーク装置送信の重複伝送設定要求メッセージを受信することを含み、
前記重複伝送設定要求メッセージは、ユーザ装置における１つ又は複数のパケットデータコンバージェンスプロトコル実体又は無線ベアラが重複伝送モードをアクティベーションする必要があるかを指示するために用いられる。
【００１４】
本発明の実施例の第六側面によれば、情報交換装置が提供され、それは、
１つ又は複数のネットワーク装置送信の重複伝送設定要求メッセージを受信するための要求受信ユニットを含み、
前記重複伝送設定要求メッセージは、ユーザ装置における１つ又は複数のパケットデータコンバージェンスプロトコル実体又は無線ベアラが重複伝送モードをアクティベーションする必要があるかを指示するために用いられる。
【００１５】
本発明の実施例の第七側面によれば、情報交換方法が提供され、それは、
ネットワーク装置が、１つ又は複数の他のネットワーク装置に重複伝送設定通知メッセージを送信することで、前記１つ又は複数の他のネットワーク装置に、ユーザ装置における１つ又は複数のパケットデータコンバージェンスプロトコル実体又は無線ベアラが重複伝送モードをアクティベーションするかを通知することを含む。
【００１６】
本発明の実施例の第八側面によれば、情報交換装置が提供され、それは、
１つ又は複数のネットワーク装置に重複伝送設定通知メッセージを通知することで、前記１つ又は複数のネットワーク装置に、ユーザ装置における１つ又は複数のパケットデータコンバージェンスプロトコル実体又は無線ベアラが重複伝送モードをアクティベーションするかを通知するためのメッセージ送信ユニットを含む。
【００１７】
本発明の実施例の第九側面によれば、通信システムが提供され、それは、
上述の第六側面に記載の情報交換装置、又は、上述の第八方面に記載の情報交換装置を含む第一ネットワーク装置；
上述の第二側面に記載の命令指示装置、又は、上述の第六側面に記載の情報交換装置、又は、上述の第八側面に記載の情報交換装置を含む第二ネットワーク装置；及び
上術の第四側面に記載の命令受信装置を含むユーザ装置を含む。
【００１８】
本発明の実施例の有益な効果が次の通りであり、即ち、ネットワーク装置がビットマップフィールドによりユーザ装置に重複伝送のアクティベーション又はディアクティベーションのための命令を送信することで、ユーザ装置における１つ又は複数のPDCP実体或無線ベアラに対して重複伝送のアクティベーション又はディアクティベーションを行うことができ、また、複数のネットワーク装置間でユーザ装置における１つ又は複数のPDCP実体又は無線ベアラが重複伝送モードをアクティベーションするかを指示するための設定要求メッセージ及び／又は設定通知メッセージを送信することで、前記複数のネットワーク装置の、前記ユーザ装置における重複伝送の設定に対しての理解が一致するように保証することができる。
【００１９】
後述の説明及び図面を参照することで、本発明の特定の実施形態を詳しく開示し、本発明の原理を採用し得る態様を示す。なお、本発明の実施形態は、範囲上ではこれらによって限定されない。添付した特許請求の範囲内であれば、本発明の実施形態は、様々な変更、修正及び代替によるものを含んでも良い。
【００２０】
また、1つの実施方式について説明した及び／又は示した特徴は、同じ又は類似した方式で1つ又は複数の他の実施形態に用い、他の実施形態中の特徴と組み合わせ、又は、他の実施形態中の特徴を置換することもできる。
【００２１】
なお、「含む／有する」のような用語は、本明細書に使用されるときに、特徴、要素、ステップ、又はアセンブルの存在を指すが、1つ又は複数の他の特徴、要素、ステップ、又はアセンブリの存在又は付加を排除しないということも指す。
【図面の簡単な説明】
【００２２】
本発明の1つの図面又は1つの実施形態に記載の要素及び特徴は、1つ又は複数の他の図面又は実施形態に示した要素及び特徴と組み合わせることができる。また、図面では、類似した符号は、幾つの図面中の対応する部品を示し、複数の実施形態に用いる対応部品を示すためにも用いられる。
【図１】本発明の実施例における通信システムを示す図である。
【図２】本発明の実施例1における命令指示方法を示す図である。
【図３】本発明の実施例1における命令指示方法を示す他の図である。
【図４】本発明の実施例2における情報交換方法を示す図である。
【図５】本発明の実施例2における情報交換方法を示す他の図である。
【図６】本発明の実施例3における情報交換方法を示す図である。
【図７】本発明の実施例3における情報交換方法を示す他の図である。
【図８】本発明の実施例4における命令指示装置を示す図である。
【図９】本発明の実施例4における命令受信装置を示す図である。
【図１０】本発明の実施例5における情報交換装置を示す図である。
【図１１】本発明の実施例6における情報交換装置を示す図である。
【図１２】本発明の実施例7におけるネットワーク装置を示す図である。
【図１３】本発明の実施例7におけるユーザ装置を示す図である。
【発明を実施するための形態】
【００２３】
添付した図面及び以下の説明を参照することにより、本発明の前述及び他の特徴が明らかになる。なお、明細書及び図面では、本発明の特定の実施形態を開示するが、それは、本発明の原理を採用し得る一部のみの実施形態を示し、理解すべきは、本発明は、記載されている実施形態に限定されず、即ち、本発明は、添付した特許請求の範囲内でのすべての変更、変形及び代替によるものも含むということである。
【００２４】
本発明の実施例では、用語“通信ネットワーク”又は“無線通信ネットワーク”は、次のような任意の通信規格に準ずるネットワークを指しても良く、例えば、LTE（LTE、Long  Term  Evolution）、LTE-A（LTE-Advanced）、WCDMA(登録商標)（Wideband  Code  Division  Multiple  Access）、HSPA（High-Speed  Packet  Access）などである。
【００２５】
また、通信システム中の装置間の通信は、任意の段階の通信プロトコルに従って行われても良く、例えば、次のような通信プロトコルを含んでも良いが、それに限定されず、即ち、1G（generation）、2G、2.5G、2.75G、3G、4G、4.5G及び将来の5G、新無線（NR、New  Radio）など、及び／又は、その他の従来の又は将来に開発される通信プロトコルである。
【００２６】
本発明の実施例では、用語“ネットワーク装置”は、例えば、通信システム中の、端末装置を通信ネットワークに接続して該端末装置にサービスを提供する装置を指す。ネットワーク装置は、次のようなものを含んでも良いが、それに限定されず、即ち、基地局（BS、Base  Station）、アクセスポイント（AP、Access  Point）、送受信ポイント（TRP、Transmission  Reception  Point）、ブロードキャスト送信機、モバイル管理エンティティ（MME、Mobile  Management  Entity）、ネットワークゲートウェイ、サーバー、無線ネットワーク制御器（RNC、Radio  Network  Controller）、基地局制御器（BSC、Base  Station  Controller）などである。
【００２７】
そのうち、基地局は、次のようなものを含んでも良いが、それに限定されず、即ち、ノードB（NodeB又はNB）、進化ノードB（eNodeB又はeNB）及び5G基地局（gNB）などであり、さらにRRH（Remote  Radio  Head）、RRU（Remote  Radio  Unit）、リレー（relay）又は低パワーノード（例えば、femto、picoなど）を含んでも良い。また、用語“基地局”は、それらの一部又はすべての機能を含んでも良く、各基地局は、特定の地理的領域に対して通信カバレッジを提供することができる。用語“セル”が指すのは、基地局及び／又はそのカバーする領域であっても良い、これは、該用語のコンテキストによるものである。
【００２８】
本発明の実施例では、用語“ユーザ装置”（UE、User  Equipment）又は“端末装置”（TE、Terminal  Equipment）は、例えば、ネットワーク装置により通信ネットワークにアクセスし、そして、ネットワークからのサービスを受ける装置を指す。ユーザ装置は、固定したもの又は移動するものであっても良く、また、移動ステーション（MS、Mobile  Station）、端末、ユーザステーション（SS、Subscriber  Station）、アクセス端末（AT、Access  Terminal）、ステーションなどとも称される。
【００２９】
そのうち、ユーザ装置は、次のようなものを含んでも良いが、それに限定されず、例えば、携帯電話（Cellular  Phone）、PDA（Personaｌ  Digital  Assistant）、無線モデム、無線通信装置、携帯装置、機器型通信装置、ラップトップコンピュータ、コードレス電話機、スマートフォン、スマートウォッチ、デジタルカメラなどである。
【００３０】
また、例えば、IoT（Internet  of  Things）などのシナリオでは、ユーザ装置は、さらに、監視又は測定を行う機器又は装置であっても良く、例えば、次のようなものを含んでも良いが、それに限定されず、即ち、機器型通信（MTC、Machine  Type  Communication）端末、車載通信端末、D2D（Device  to  Device）端末、M2M（Machine  to  Machine）端末などである。
【００３１】
以下、例を挙げて本発明の実施例におけるシナリオについて説明を行うが、本発明は、これに限られない。
【００３２】
図1は、本発明の実施例における通信システムを示す図であり、ユーザ装置及びネットワーク装置を例とする場合を例示的に説明するためのものである。図1に示すように、通信システム100は、ネットワーク装置101、ネットワーク装置102及びユーザ装置103を含んでも良い。便宜のため、図1では、１つのユーザ装置及び２つのネットワーク装置を例として説明を行うが、本発明の実施例は、これに限定されない。
【００３３】
本発明の実施例では、ネットワーク装置101又は102と、ユーザ装置103との間で従来のトラフィック又は将来実施可能なトラフィックが行われても良い。これらのトラフィックは、例えば、eMBB（enhanced  Mobile  Broadband）、mMTC（massive  Machine  Type  Communication）、URLLC（Ultra-Reliable  and  Low-Latency  Communication）などを含んでも良いが、これに限られない。
【００３４】
本発明の実施例では、ユーザ装置が複数のネットワーク装置に同時に接続されてマルチ接続伝送を行うことができる。複数のネットワーク装置がすべて同一のユーザ装置の重複伝送モードを設定し得るため、あるネットワーク装置は、該ユーザ装置の現在の重複伝送モードが他のネットワーク装置によりアクティベーション又はディアクティベーションされるかを把握できない可能性がある。これは、ネットワーク装置側及びユーザ装置側での重複伝送モードに対しての設定に不整合を持たせることがある。よって、ネットワーク装置側で複数のネットワーク装置間の情報交換を行うことで、ユーザ装置に接続される複数のネットワーク装置の、その重複伝送モードの設定状況に対しての理解が一致するようにさせる必要がある。
【００３５】
また、ユーザ装置の複数のPDCP実体が重複伝送されるときに、あるネットワーク装置が、一部のみのPDCP実体に対してアクティベーション又はディアクティベーションを行う可能性があり、他のPDCP実体に対して設定を行う必要がない。このときに、新しいアクティベーション命令フォーマットを設計してユーザ装置の一部のPDCP実体に対してのアクティベーション又はディアクティベーションをサポートする必要があり、他のPDCP実体の伝送状態を変更することが要されない。
【００３６】
なお、本発明の実施例では、ユーザ装置が２つ以上のネットワーク装置に同時に接続されることを例として説明を行うが、本発明は、これに限定されない。例えば、本発明による方法又は装置は、さらに、ユーザ装置が２つ以上のネットワーク装置に同時に接続されないシナリオに適用することもできる。
【実施例１】
【００３７】
本発明の実施例は、命令指示方法を提供し、それは、複数のネットワーク装置に同時に接続される１つのユーザ装置と、前記複数のネットワーク装置のうちの１つのネットワーク装置との間に応用される。
【００３８】
図2は、本発明の実施例における命令指示方法を示す図であり、ネットワーク装置側から説明を行うためのものである。図2に示すように、前記命令指示方法は、以下のようなステップを含む。
【００３９】
ステップ202：ネットワーク装置がビットマップフィールドによりユーザ装置に重複伝送のアクティベーション又はディアクティベーションのための命令を送信することで、前記ユーザ装置における１つ又は複数のPDCP実体又は無線ベアラの重複伝送をアクティベーション又はディアクティベーションする。
【００４０】
本実施例では、前記ビットマップ（bitmap）フィールドにおける１つのビットが１つのPDCP実体又はRBに対応しても良く、又は、前記ビットマップフィールドにおける複数のビット（例えば、２つ又は１対（a  pair）であるが、本発明は、これに限定されず、２つ以上であっても良い）が１つのPDCP実体又はRBに対応しても良い。
【００４１】
本実施例では、無線ベアラ（RB）は、データ無線ベアラ（DRB、Data  Radio  Bearer）及び／又はシグナリング無線ベアラ（SRB、Signaling  Radio  Bearer）を含んでも良いが、本発明は、これに限定されない。以下、DRBを例として説明を行う。また、PDCP及びRBに関する具体的な内容については、関連技術を参照することができる。
【００４２】
１つの実施方式では、前記ビットマップフィールドにおける第i個目の（i-th）ビット又は第i対目（i-th  pair（第i個目のペア)）のビットが、DRB標識（drb-Identity又はDRB  identity）がiであるPDCP実体に対応しても良い。
【００４３】
例えば、１つのユーザ装置が32個（本発明は、これに限定されず、他の数量であっても良い）のPDCP実体をサポートし、対応するDRB標識が0乃至31で表される場合、該ビットマップフィールドは、32個のビットを、この32個のPDCP実体にそれぞれ対応するように含んでも良い。
【００４４】
また、例えば、１つのユーザ装置が32個（本発明は、これに限定されず、他の数量であっても良い）のPDCP実体をサポートし、対応するDRB標識が0乃至31で表される場合、該ビットマップフィールドは、32対のビット（即ち、64個のビット）を、この32個のPDCP実体にそれぞれ対応するように含んでも良い。
【００４５】
もう１つの実施方式では、前記ビットマップフィールドにおける第i個目のビット又は第i対目のビットが、重複伝送標識（Duplication  identity）がiであるパケットデータコンバージェンスプロトコル実体に対応しても良い。そのうち、該重複伝送標識は、ネットワーク装置側で設定され、且つ前記DRB標識と独立したものであっても良い。
【００４６】
例えば、１つのユーザ装置が32個（本発明は、これに限定されず、他の数量であっても良い）PDCP実体をサポートし、対応する重複伝送標識が0乃至31で表される場合、該ビットマップフィールドは、32個のビットを、この32個のPDCP実体にそれぞれ対応するように含んでも良い。
【００４７】
また、例えば、１つのユーザ装置が32個（本発明は、これに限定されず、他の数量であっても良い）のPDCP実体をサポートし、対応する重複伝送標識が0乃至31で表される場合、該ビットマップフィールドは、32対のビット（即ち、64個のビット）を、この32個のPDCP実体にそれぞれ対応するように含んでも良い。
【００４８】
もう１つの実施方式では、前記ビットマップフィールドにおける第i個目のビット又は第i対目のビットが、前記ユーザ装置中で重複伝送と設置されるPDCP実体に対して並べ替えを行った後の第i個目のPDCP実体に対応しても良い。
【００４９】
例えば、１つのユーザ装置が32個（本発明は、これに限定されず、他の数量であっても良い）のPDCP実体をサポートし、そのうち、例えば、8個のPDCP実体が、（先後）順に、ネットワーク装置により、重複伝送モードを使用する（即ち、重複伝送がアクティベーションされる）と設定される場合、重複伝送と設定されるこの8個のPDCP実体に対して並べ替えを行うことができる。
【００５０】
１つの例では、重複伝送と設定される前記PDCP実体は、ネットワーク装置が重複伝送を設定する（先後）順序に従って並べ替えることができる。また、もう１つの例では、これらのPDCP実体に対応するDRB標識の（大小）順序に従って並べ替えることもできる。なお、以上、如何に、重複伝送と設定されるPDCP実体に対して並べ替えを行うかを説明したが、本発明は、これに限定されず、他の適切な並べ替え方法を採用しても良い。
【００５１】
例えば、重複伝送と設定されるPDCP実体が並べ替え後に0乃至7で表される場合、該ビットマップフィールドは、8個のビットを、重複伝送と設定されるこの8個のPDCP実体にそれぞれ対応するように含んでも良い。或いは、該ビットマップフィールドは、8対のビット（即ち、16個のビット）を、重複伝送と設定されるこの8個のPDCP実体にそれぞれ対応するように含んでも良い。
【００５２】
本実施例では、前記ビットマップフィールドにおける１つのビット又は複数のビット（例えば、２つ又は１対（a  pair））の１つの値が、対応する前記PDCP実体の伝送状態の変更を指示するために用いられても良く、もう１つの値が、対応する前記PDCP実体の伝送状態の維持を指示するために用いられても良い。
【００５３】
例えば、ビット“1”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“0”が、ユーザ装置に、該PDCP実体の現在の伝送状態を維持し、アクティベーション又はディアクティベーション状態の変更を行うことを要しないように指示するために用いられても良い。
【００５４】
また、例えば、ビット“0”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“1”が、ユーザ装置に、該PDCP実体の現在の伝送状態を維持し、アクティベーション又はディアクティベーション状態の変更を行うことを要しないように指示するために用いられても良い。
【００５５】
例えば、ビット“11”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“00”が、ユーザ装置に、該PDCP実体の現在の伝送状態を維持し、アクティベーション又はディアクティベーション状態の変更を行うことを要しないように指示するために用いられても良い。
【００５６】
例えば、ビット“00”が、ユーザ装置に、対応するPDCP実体の伝送状態を変更するように指示するために用いられても良い。即ち、該PDCP実体の元の伝送状態が重複伝送のアクティベーション状態である場合、ユーザ装置に、該PDCP実体の伝送状態を重複伝送のディアクティベーション状態に変更するように指示し、該PDCP実体の元の伝送状態が重複伝送のディアクティベーション状態である場合、ユーザ装置に、該PDCP実体の伝送状態を重複伝送のアクティベーション状態に変更するように指示する。ビット“11”が、ユーザ装置に、該PDCP実体の現在の伝送状態を維持し、アクティベーション又はディアクティベーション状態の変更を行うことを要しないように指示するために用いられても良い。
【００５７】
また、例えば、“11”が、該PDCP実体の重複伝送をアクティベーションするように指示するために用いられても良く、該PDCP実体は、同時に複数のリンク上で重複伝送され、“00”が、該PDCP実体の重複伝送をディアクティベーションするように指示するために用いられても良く、該PDCP実体は、同時に複数のリンク上でスプリット伝送され、“10”が、該PDCP実体の重複伝送をディアクティベーションするように指示するために用いられても良く、該PDCP実体は、第一RLC実体上でシングルリンク伝送され、“01”が、該PDCP実体の重複伝送をディアクティベーションするように指示するために用いられても良く、該PDCP実体は、第二RLC実体上でシングルリンク伝送される。
【００５８】
なお、以上、如何に、１つ又は複数のビットの値に基づいて対応するPDCP実体の伝送状態を変更又は維持するかを例示的に説明したが、本発明は、これに限定されず、１つ又は複数のビットの具体的な値の指示意味について、ニーズに応じて確定しても良い。
【００５９】
本実施例では、前記ビットマップフィールドにおける１つのビット又は複数のビットが、対応するPDCP実体が次のような操作のうちの１つを実行するように指示するために用いられても良く、即ち、前記PDCP実体の重複伝送がアクティベーションされ、且つ前記PDCP実体が同時に複数のリンク上で重複伝送され；前記PDCP実体の重複伝送がディアクティベーションされ、且つ前記PDCP実体が同時に複数のリンク上でスプリット伝送され；及び、前記PDCP実体の重複伝送がディアクティベーションされ、且つ前記PDCPが指定の無線リンク制御（RLC、Radio  Link  Control）実体上でシングルリンク伝送され、例えば、第一RLC実体上でシングルリンク伝送され、又は、第二RLC実体上でシングルリンク伝送される。
【００６０】
図2に示すように、前記命令指示方法は、さらに、以下のようなステップを含んでも良い。
【００６１】
ステップ201：ネットワーク装置が、前記ユーザ装置における１つ又は複数のPDCP実体又はRBが重複伝送モードをアクティベーションするかどうか（例えば、重複伝送をアクティベーションし、又は、重複伝送をディアクティベーションする）を確定する。
【００６２】
本実施例では、ネットワーク装置が、前記ユーザ装置の無線リンク品質及び／又はトラフィック特徴、及び／又は、１つ又は複数のネットワーク装置送信の重複伝送設定通知メッセージに基づいて、前記１つ又は複数のPDCP実体又はRBが重複伝送モードをアクティベーションかを確定することができる。なお、重複伝送設定通知メッセージについては、実施例2を参照することができる。
【００６３】
図3は、本発明の実施例における命令指示方法を示す他の図であり、ネットワーク装置側及びユーザ装置側から説明を行うためのものである。図3に示すように、前記命令指示方法は、以下のようなステップを含む。
【００６４】
ステップ301：ネットワーク装置が、ユーザ装置における１つ又は複数のPDCP実体又はRBが重複伝送モードをアクティベーションするかを確定し；
ステップ302：ネットワーク装置が、ビットマップフィールドにより前記ユーザ装置に重複伝送のアクティベーション又はディアクティベーションのための命令を送信し；
ステップ303：ユーザ装置が、該命令を受信した後に、該ビットマップフィールドに基づいて、１つ又は複数のPDCP実体又はRBの重複伝送をアクティベーション又はディアクティベーションする。
【００６５】
例えば、あるPDCP実体又はRBが該命令の中で対応するビットが“1”である場合、該PDCP実体は、その伝送状態を変更する必要がある。即ち、該PDCP実体の元の伝送状態が重複伝送のアクティベーション状態である場合、該PDCP実体の伝送状態は、重複伝送のディアクティベーション状態に変更すべきであり、該PDCP実体の元の伝送状態が重複伝送のディアクティベーション状態である場合、該PDCP実体の伝送状態は、重複伝送のアクティベーション状態に変更すべきである。あるPDCP実体又はRBが該命令の中で対応するビットが“0”である場合、該PDCP実体は、その伝送状態を維持すべきである。
【００６６】
本実施例では、ユーザ装置が重複伝送のアクティベーション又はディアクティベーションのための該命令を受信した後に、前記ビットマップフィールドの指示に従って、次のような場合のうちの１つを選択して実行することができ、即ち、該PDCP実体の重複伝送状態をアクティベーションし、該PDCP実体は、同時に複数のリンク上で重複伝送され；該PDCP実体の重複伝送状態をディアクティベーションし、該PDCP実体は、同時に複数のリンク上でスプリット伝送され、即ち、異なるリンク上で異なるPDCP  PDUを伝送する伝送モードであり；該PDCP実体の重複伝送状態をディアクティベーションし、該PDCP実体は、第一RLC実体上でシングルリンク伝送され；及び、該PDCP実体の重複伝送状態をディアクティベーションし、該PDCP実体は、第二RLC実体上でシングルリンク伝送される。
【００６７】
なお、以上、図3は、本発明の実施例を例示的に説明するためのものに過ぎず、本発明は、これに限定されない。例えば、各ステップ間の実行順序を適切に調整し、また、幾つかのステップを増減しても良い。言い換えれば、当業者が上述の内容を基に適切な変形を行っても良く、上述の図3の記載に限られない。
【００６８】
本実施例では、前記ネットワーク装置が、さらに、１つ又は複数の他のネットワーク装置送信の重複伝送設定要求メッセージを受信し、又は、１つ又は複数の他のネットワーク装置に重複伝送設定要求メッセージを送信することもできる。なお、該重複伝送設定要求メッセージの内容については、実施例2又は3を参照することができる。
【００６９】
本実施例では、前記ネットワーク装置が、さらに、１つ又は複数の他のネットワーク装置送信の重複伝送設定通知メッセージを受信し、又は、１つ又は複数の他のネットワーク装置に重複伝送設定通知メッセージを送信することもできる。なお、該重複伝送設定通知メッセージの内容については、実施例2又は3を参照することができる。
【００７０】
上述の実施例から分かるように、ネットワーク装置がビットマップフィールドによりユーザ装置に重複伝送のアクティベーション又はディアクティベーションのための命令を送信することで、ユーザ装置における１つ又は複数のPDCP実体又はRBに対して重複伝送モードのアクティベーション又はディアクティベーションを行うことができる。
【実施例２】
【００７１】
本発明の実施例は、情報交換方法を提供し、それは、１つのユーザ装置に同時に接続される複数のネットワーク装置の間に応用される。以下、第一ネットワーク装置及び第二ネットワーク装置を例として説明を行うが、本発明は、これに限定されず、２つ以上のネットワーク装置が情報交換を行っても良い。
【００７２】
図4は、本発明の実施例における情報交換方法を示す図であり、第二ネットワーク装置側から説明を行うためのものである。図4に示すように、前記情報交換方法は、以下のようなステップを含む。
【００７３】
ステップ401：第二ネットワーク装置が、第一ネットワーク装置送信の重複伝送設定要求メッセージを受信し、前記重複伝送設定要求メッセージは、ユーザ装置における１つ又は複数のPDCP実体又はRBが重複伝送モードをアクティベーションする必要があるかを指示するために用いられる。
【００７４】
本実施例では、前記重複伝送設定要求メッセージは、次のようなものを含んでも良く、即ち、前記ユーザ装置の標識（例えば、UE  ID）、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報である。なお、本発明は、これに限定されず、例えば、さらに他の情報を含んでも良い。
【００７５】
図4に示すように、前記情報交換方法は、さらに、以下のようなステップを含んでも良い。
【００７６】
ステップ402：第二ネットワーク装置が、前記ユーザ装置における１つ又は複数のPDCP実体又はRBが重複伝送モードをアクティベーションするかを確定する。
【００７７】
図5は、本発明の実施例における情報交換方法を示す他の図であり、複数のネットワーク装置側から説明を行うためのものである。図5に示すように、前記情報交換方法は、以下のようなステップを含む。
【００７８】
ステップ501：第二ネットワーク装置が、第一ネットワーク装置送信の重複伝送設定要求メッセージを受信し、前記重複伝送設定要求メッセージは、ユーザ装置における１つ又は複数のPDCP実体又はRBが重複伝送モードをアクティベーションする必要があるかを指示するために用いられる。
【００７９】
図5に示すように、前記情報交換方法は、さらに、以下のようなステップを含んでも良い。
【００８０】
ステップ502：第二ネットワーク装置が、前記ユーザ装置における１つ又は複数のPDCP実体又はRBが重複伝送モードをアクティベーションするかを確定する。
【００８１】
例えば、第二ネットワーク装置が、前記ユーザ装置の無線リンク品質及び／又はトラフィック特徴などのファクターに基づいて、前記１つ又は複数のPDCP実体又はDRBが重複伝送のアクティベーション又はディアクティベーションを行うかを決定することができる。
【００８２】
また、例えば、第二ネットワーク装置が、１つ又は複数の他のネットワーク装置送信の前記重複伝送設定要求メッセージに基づいて、前記１つ又は複数のPDCP実体又はDRBが重複伝送のアクティベーション又はディアクティベーションを行うかを決定することもできる。
【００８３】
また、例えば、第二ネットワーク装置が、前記ユーザ装置の無線リンク品質及び／又はトラフィック特徴などのファクター、及び、１つ又は複数の他のネットワーク装置送信の前記重複伝送設定要求メッセージに基づいて、前記１つ又は複数のPDCP実体又はDRBが重複伝送のアクティベーション又はディアクティベーションを行うかを決定することができる。
【００８４】
本実施例では、第二ネットワーク装置が１つ又は複数の他のネットワーク装置に重複伝送設定通知メッセージを送信しても良いが、本発明は、これに限定されず、例えば、第二ネットワーク装置が、さらに、ユーザ装置に、重複伝送設定に関する情報を送信し、該ユーザ装置に、重複伝送設定に関する情報を他のネットワーク装置に転送して貰うこともできる。以下、ネットワーク装置の間での交換を例として説明を行う。
【００８５】
図5に示すように、前記情報交換方法は、さらに、以下のようなステップを含んでも良い。
【００８６】
ステップ503：第二ネットワーク装置が、１つ又は複数の他のネットワーク装置に重複伝送設定通知メッセージを送信し、前記１つ又は複数のネットワーク装置に次のようなことを通知し、即ち、前記ユーザ装置における１つ又は複数のPDCP実体又はRBが重複伝送モードをアクティベーションすることである。
【００８７】
例えば、第二ネットワーク装置が、あるユーザ装置における１つ又は複数のPDCP実体に対して重複伝送のアクティベーション又はディアクティベーションを行うことを決定した後、第一ネットワーク装置に、重複伝送のアクティベーション又はディアクティベーションを行うことの通知メッセージを送信し、第二ネットワーク装置の決定情報を第一ネットワーク装置に通知しても良い。
【００８８】
１つの実施方式では、前記重複伝送設定通知メッセージが、次のようなものを含んでも良く、即ち、前記ユーザ装置の標識（例えば、UE  ID）、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報である。なお、本発明は、これに限定されず、例えば、さらに他の情報を含んでも良い。
【００８９】
他の実施方式では、前記重複伝送設定通知メッセージが、次のようなものを含んでも良く、即ち、前記ユーザ装置の標識（例えば、UE  ID）、１つ又は複数のPDCP実体又は１つ又は複数のRBの重複伝送に対してアクティベーション又はディアクティベーションを行うためのビットマップフィールドである。なお、該ビットマップフィールドの内容については、実施例1を参照することができる。また、本発明は、これに限定されず、例えば、さらに他の情報を含んでも良い。
【００９０】
なお、以上、図5は、本発明の実施例を例示的に説明するためのものに過ぎず、本発明は、これに限定されない。例えば、各ステップ間の実行順序を適切に調整し、また、幾つかのステップを増減しても良い。言い換えれば、当業者が上述の内容を基に適切な変形を行っても良く、上述の図5の記載に限られない。
【００９１】
上述の実施例から分かるように、ネットワーク装置間でユーザ装置における１つ又は複数のPDCP実体又はRBが重複伝送モードをアクティベーションする必要があるかを指示するための重複伝送設定要求メッセージを送信することで、複数のネットワーク装置の、ユーザ装置における重複伝送の設定に対しての理解が一致するように保証することができる。
【実施例３】
【００９２】
本発明の実施例は、情報交換方法を提供し、それは、１つのユーザ装置に同時に接続される複数のネットワーク装置の間に応用される。以下、第一ネットワーク装置及び第二ネットワーク装置を例として説明を行うが、本発明は、これに限定されず、２つ以上のネットワーク装置が情報交換を行っても良い。
【００９３】
図6は、本発明の実施例における情報交換方法を示す図であり、第二ネットワーク装置側から説明を行うためのものである。図6に示すように、前記情報交換方法は、以下のようなステップを含む。
【００９４】
ステップ602：第二ネットワーク装置が、１つ又は複数の第一ネットワーク装置に重複伝送設定通知メッセージを送信し、前記１つ又は複数の第一ネットワーク装置に次のようなことを通知し、即ち、前記ユーザ装置における１つ又は複数のPDCP実体又はRBが重複伝送モードをアクティベーションするかどうかである。
【００９５】
例えば、前記重複伝送設定通知メッセージが、次のようなものを含んでも良く、即ち、前記ユーザ装置の標識（例えばUE  ID）、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報である。なお、本発明は、これに限定されず、例えば、さらに他の情報を含んでも良い。
【００９６】
また、例えば、前記重複伝送設定通知メッセージが、次のようなものを含んでも良く、即ち、前記ユーザ装置の標識（例えばUE  ID）、１つ又は複数のPDCP実体又は１つ又は複数のRBの重複伝送に対してアクティベーション又はディアクティベーションを行うためのビットマップフィールドである。なお、該ビットマップフィールドの内容については、実施例1を参照することができる。また、本発明は、これに限定されず、例えば、さらに他の情報を含んでも良い。
【００９７】
図6に示すように、前記情報交換方法は、さらに、以下のようなステップを含んでも良い。
【００９８】
ステップ601：第二ネットワーク装置が、前記ユーザ装置における１つ又は複数のPDCP実体又はRBが重複伝送モードをアクティベーションするかを確定する。
【００９９】
図7は、本発明の実施例における情報交換方法を示す他の図であり、複数のネットワーク装置側から説明を行うためのものである。図7に示すように、前記情報交換方法は、以下のようなステップを含んでも良い。
【０１００】
ステップ701：第二ネットワーク装置が、１つ又は複数の第一ネットワーク装置送信の重複伝送設定要求メッセージを受信し、前記重複伝送設定要求メッセージは、ユーザ装置における１つ又は複数のPDCP実体又はRBが重複伝送モードをアクティベーションする必要があるかを指示するために用いられる。
【０１０１】
本実施例では、前記重複伝送設定要求メッセージが、次のようなものを含んでも良く、即ち、前記ユーザ装置の標識（例えばUE  ID）、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報である。なお、本発明は、これに限定されず、例えば、さらに他の情報を含んでも良い。
【０１０２】
図7に示すように、前記情報交換方法は、さらに、以下のようなステップを含んでも良い。
【０１０３】
ステップ702：第二ネットワーク装置が、前記ユーザ装置における１つ又は複数のPDCP実体又はRBが重複伝送モードをアクティベーションするかを確定する。
【０１０４】
例えば、第二ネットワーク装置が、前記ユーザ装置の無線リンク品質及び／又はトラフィック特徴などのファクターに基づいて、前記１つ又は複数のPDCP実体又はRBが重複伝送のアクティベーション又はディアクティベーションを行うかを決定することができる。
【０１０５】
また、例えば、第二ネットワーク装置が、１つ又は複数の他のネットワーク装置送信の前記重複伝送設定要求メッセージに基づいて、前記１つ又は複数のPDCP実体又はRBが重複伝送のアクティベーション又はディアクティベーションを行うかを決定することができる。
【０１０６】
また、例えば、第二ネットワーク装置が、前記ユーザ装置の無線リンク品質及び／又はトラフィック特徴などのファクター、及び、１つ又は複数の他のネットワーク装置送信の前記重複伝送設定要求メッセージに基づいて、前記１つ又は複数のPDCP実体又はRBが重複伝送のアクティベーション又はディアクティベーションを行うことかを決定することができる。
【０１０７】
図7に示すように、前記情報交換方法は、さらに、以下のようなステップを含んでも良い。
【０１０８】
ステップ703：第二ネットワーク装置が、１つ又は複数の他のネットワーク装置に重複伝送設定通知メッセージを送信し、前記１つ又は複数のネットワーク装置に次のようなことを通知し、即ち、前記ユーザ装置における１つ又は複数のPDCP実体又はRBが重複伝送モードをアクティベーションするかどうかである。
【０１０９】
例えば、第二ネットワーク装置が、あるユーザ装置における１つ又は複数のPDCP実体に対して重複伝送のアクティベーション又はディアクティベーションを行うことを決定した後に、第一ネットワーク装置に、重複伝送のアクティベーション又はディアクティベーションを行うことの通知メッセージを送信し、第二ネットワーク装置の決定情報を第一ネットワーク装置に通知することができる。
【０１１０】
なお、以上、図7は、本発明の実施例を例示的に説明するためのものに過ぎず、本発明は、これに限定されない。例えば、各ステップ間の実行順序を適切に調整し、また、幾つかのステップを増減しても良い。言い換えれば、当業者が上述の内容を基に適切な変形を行っても良く、上述の図7の記載に限られない。
【０１１１】
上述の実施例から分かるように、ネットワーク装置間でユーザ装置における１つ又は複数のPDCP実体又はRBが重複伝送モードをアクティベーションするかを指示するための重複伝送設定通知メッセージを送信することで、複数のネットワーク装置の、ユーザ装置における重複伝送設定に対しての理解が一致するように保証することができる。
【実施例４】
【０１１２】
本発明の実施例は、命令指示装置を提供する。該命令指示装置は、例えば、ネットワーク装置であっても良く、ネットワーク装置に構成される１つ又は複数の部品又はアセンブリであっても良い。なお、本実施例4では、実施例1と同じ内容の記載が省略される。
【０１１３】
図8は、本発明の実施例における命令指示装置を示す図であり、図8に示すように、命令指示装置800は、以下のようなものを含む。
【０１１４】
命令送信ユニット802：ビットマップフィールドによりユーザ装置に重複伝送のアクティベーション又はディアクティベーションのための命令を送信することで、前記ユーザ装置における１つ又は複数のPDCP実体又はRBの重複伝送をアクティベーション又はディアクティベーションする。
【０１１５】
本実施例では、前記ビットマップフィールドにおける１つのビット又は複数のビットが、１つのPDCP実体又はRBに対応しても良い。
【０１１６】
例えば、前記ビットマップフィールドにおける第i個目のビット又は第i対目のビットが、DRB標識がiであるPDCP実体に対応しても良く、又は、前記ビットマップフィールドにおける第i個目のビット又は第i対目のビットが、重複伝送標識がiであるPDCP実体に対応しても良い。
【０１１７】
また、例えば、前記ビットマップフィールドにおける第i個目のビット又は第i対目のビットが、前記ユーザ装置中で重複伝送と設定されるPDCP実体に対して並べ替えを行った後の第i個目のPDCP実体に対応しても良い。そのうち、重複伝送と設定される前記PDCP実体は、ネットワーク装置が重複伝送を設定する先後の順序に従って並べ替えることができ、又は、対応するDRB標識の大小の順序に従って並べ替えることもできる。
【０１１８】
本実施例では、前記ビットマップフィールドにおける１つのビット又は複数のビットの１つの値が、対応するPDCP実体の伝送状態の変更を指示するために用いられても良く、もう１つの値が、対応するPDCP実体の伝送状態の維持を指示するために用いられても良い。
【０１１９】
図8に示すように、命令指示装置800は、さらに、以下のようなものを含んでも良い。
【０１２０】
モード確定ユニット801：前記ユーザ装置における１つ又は複数のPDCP実体又はRBが重複伝送モードをアクティベーションするかを確定する。
【０１２１】
本実施例では、前記モード確定ユニット801が、前記ユーザ装置の無線リンク品質及び／又はトラフィック特徴、及び／又は、前記複数のネットワーク装置のうちの１つ又は複数のネットワーク装置送信の重複伝送設定通知メッセージに基づいて、前記１つ又は複数のPDCP実体又はRBが重複伝送モードをアクティベーションするかを確定することができる。
【０１２２】
なお、以上、本発明に関する各部品又はモジュールのみについて説明したが、本発明は、これに限定されない。命令指示装置800は、さらに、他の部品又はモジュールを含んでも良く、これらの部品又はモジュールの具体的な内容については、関連技術を参照することができる。
【０１２３】
本発明の実施例は、さらに、命令受信装置を提供する。該命令受信装置は、例えば、ユーザ装置であっても良く、ユーザ装置に構成される１つ又は複数の部品又はアセンブリであっても良い。
【０１２４】
図9は、本発明の実施例における命令受信装置を示す図であり、図9に示すように、命令受信装置900は、以下のようなものを含む。
【０１２５】
命令受信ユニット901：ネットワーク装置がビットマップフィールドにより送信する重複伝送のアクティベーション又はディアクティベーションのための命令を受信し；
伝送処理ユニット902：前記ビットマップフィールドに基づいて、１つ又は複数のPDCP実体又はRBの重複伝送をアクティベーション又はディアクティベーションする。
【０１２６】
本実施例では、前記ビットマップフィールドにおける１つのビット又は複数のビットが、対応するPDCP実体が次のような操作のうちの１つを行うように指示するように用いられても良く、即ち、前記PDCP実体の重複伝送がアクティベーションされ、且つ前記PDCP実体が同時に複数のリンク上で重複伝送され；前記PDCP実体の重複伝送がディアクティベーションされ、且つ前記PDCP実体が同時に複数のリンクでスプリット伝送され；及び、前記PDCP実体の重複伝送がディアクティベーションされ、且つ前記PDCP実体が指定のRLC実体（例えば、第一RLC実体又は第二RLC実体）上でシングルリンク伝送される。
【０１２７】
なお、以上、本発明に関する各部品又はモジュールのみについて説明したが、本発明は、これに限定されない。命令受信装置900は、さらに、他の部品又はモジュールを含んでも良く、これらの部品又はモジュールの具体的な内容については、関連技術を参照することができる。
【０１２８】
上述の実施例から分かるように、ネットワーク装置がビットマップフィールドによりユーザ装置に重複伝送のアクティベーション又はディアクティベーションのための命令を送信することで、ユーザ装置における１つ又は複数のPDCP実体又はRBに対して重複伝送モードのアクティベーション又はディアクティベーションを行うことができる。
【実施例５】
【０１２９】
本発明の実施例は、情報交換装置を提供する。該情報交換装置は、例えば、ネットワーク装置であっても良く、ネットワーク装置に配置される１つ又は複数の部品又はアセンブリであっても良い。本実施例5では、実施例2と同じ内容の記載が割愛される。
【０１３０】
図10は、本発明の実施例における情報交換装置を示す図であり、図10に示すように、情報交換装置1000は、以下のようなものを含む。
【０１３１】
要求受信ユニット1001：１つ又は複数のネットワーク装置送信の重複伝送設定要求メッセージを受信し、前記重複伝送設定要求メッセージは、ユーザ装置における１つ又は複数のPDCP実体又はRBが重複伝送モードをアクティベーションする必要があるかを指示するために用いられる。
【０１３２】
本実施例では、前記重複伝送設定要求メッセージが次のようなものを含んでも良く、即ち、前記ユーザ装置の標識、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報である。
【０１３３】
図10に示すように、情報交換装置1000は、さらに、以下のようなものを含んでも良い。
【０１３４】
モード確定ユニット1002：前記ユーザ装置の無線リンク品質及び／又はトラフィック特徴、及び／又は、前記１つ又は複数のネットワーク装置送信の前記重複伝送設定要求メッセージに基づいて、前記１つ又は複数のPDCP実体又はRBが重複伝送モードをアクティベーションするかを確定する。
【０１３５】
図10に示すように、情報交換装置1000は、さらに、以下のようなものを含んでも良い。
【０１３６】
メッセージ送信ユニット1003：前記１つ又は複数のネットワーク装置に重複伝送設定通知メッセージを送信し、前記１つ又は複数のネットワーク装置に、前記ユーザ装置における１つ又は複数のPDCP実体又はRBが重複伝送モードをアクティベーションするかを通知する。
【０１３７】
例えば、前記重複伝送設定通知メッセージは、前記ユーザ装置の標識、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報を含んでも良い。
【０１３８】
また、例えば、前記重複伝送設定通知メッセージは、前記ユーザ装置の標識、１つ又は複数のPDCP実体又は１つ又は複数のRBの重複伝送に対してアクティベーション又はディアクティベーションを行うためのビットマップフィールドを含んでも良い。
【０１３９】
なお、以上、本発明に関する各部品又はモジュールを説明したが、但本発明は、これに限定されない。情報交換装置1000は、さらに、他の部品又はモジュールを含んでも良く、これらの部品又はモジュールの具体的な内容については、関連技術を参照することができる。
【０１４０】
上述の実施例から分かるように、ネットワーク装置間でユーザ装置における１つ又は複数のPDCP実体又はRBが重複伝送モードをアクティベーションする必要があるかを指示するための重複伝送設定要求メッセージを送信することで、複数のネットワーク装置の、ユーザ装置における重複伝送の設定に対しての理解が一致するように保証することができる。
【実施例６】
【０１４１】
本発明の実施例は、情報交換装置を提供する。該情報交換装置は、例えば、ネットワーク装置であっても良く、ネットワーク装置に構成される１つ又は複数の部品やアセンブリであっても良い。本実施例6では、実施例3と同じ内容の説明が省略される。
【０１４２】
図11は、本発明の実施例における情報交換装置を示す図であり、図11に示すように、情報交換装置1100は、以下のようなものを含む。
【０１４３】
メッセージ送信ユニット1101：１つ又は複数のネットワーク装置に重複伝送設定通知メッセージを送信し、前記１つ又は複数のネットワーク装置に、前記ユーザ装置における１つ又は複数のPDCP実体又はRBが重複伝送モードをアクティベーションするかを通知する。
【０１４４】
例えば、前記重複伝送設定通知メッセージは、前記ユーザ装置の標識、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報を含んでも良い。
【０１４５】
また、例えば、前記重複伝送設定通知メッセージは、前記ユーザ装置の標識、１つ又は複数のPDCP実体又は１つ又は複数のRBの重複伝送に対してアクティベーション又はディアクティベーションを行うためのビットマップフィールドを含んでも良い。
【０１４６】
図11に示すように、情報交換装置1100は、さらに、以下のようなものを含んでも良い。
【０１４７】
要求受信ユニット1102：１つ又は複数のネットワーク装置送信の重複伝送設定要求メッセージを受信し、前記重複伝送設定要求メッセージは、ユーザ装置における１つ又は複数のPDCP実体又はRBが重複伝送モードをアクティベーションする必要があるかを指示するために用いられる。
【０１４８】
本実施例では、前記重複伝送設定要求メッセージが、前記ユーザ装置の標識、１つ又は複数のPDCP実体の標識又は１つ又は複数のDRBの標識、前記１つ又は複数のPDCP実体又は１つ又は複数のRBの重複伝送のアクティベーション又はディアクティベーションのための指示情報を含んでも良い。
【０１４９】
図11に示すように、情報交換装置1100は、さらに、以下のようなものを含んでも良い。
【０１５０】
モード確定ユニット1103：前記ユーザ装置の無線リンク品質及び／又はトラフィック特徴、及び／又は、前記１つ又は複数のネットワーク装置送信の前記重複伝送設定要求メッセージに基づいて、前記１つ又は複数のPDCP実体又はRBが重複伝送モードをアクティベーションするかを確定する。
【０１５１】
なお、以上、本発明に関する各部品又はモジュールのみについて説明したが、本発明は、これに限定されない。情報交換装置1100は、さらに、他の部品又はモジュールを含んでも良く、これらの部品又はモジュールの具体的な内容については、関連技術を参照することができる。
【０１５２】
上述の実施例から分かるように、ネットワーク装置間でユーザ装置における１つ又は複数のPDCP実体又はRBが重複伝送モードをアクティベーションするかを指示するための重複伝送設定通知メッセージを送信することで、複数のネットワーク装置の、ユーザ装置における重複伝送の設定に対しての理解が一致するように保証することができる。
【実施例７】
【０１５３】
本発明の実施例は、さらに、通信システムを提供する。これについては、図1を参照することができ、また、ここでは、実施例1乃至6と同じ内容の記載が省略される。本実施例では、通信システム100は、以下のようなものを含んでも良い。
【０１５４】
ネットワーク装置101：実施例5に記載の情報交換装置1000、又は、実施例6に記載の情報交換装置1100を含む。
【０１５５】
ネットワーク装置102：実施例4に記載の命令指示装置800、又は、実施例5に記載の情報交換装置1000、又は、実施例6に記載の情報交換装置1100を含む。
【０１５６】
ユーザ装置103：実施例4に記載の命令受信装置900を含む。
【０１５７】
本発明の実施例は、さらに、ネットワーク装置、例えば、基地局を提供するが、本発明では、これに限定されず、他のネットワーク装置であっても良い。
【０１５８】
図12は、本発明の実施例におけるネットワーク装置の構成図である。図12に示すように、ネットワーク装置1200は、処理器1210（例えば、中央処理装置CPU）及び記憶器1220を含んでも良く、記憶器1220は、処理器1210に接続される。そのうち、該記憶器1220は、各種のデータを記憶することができ、また、情報処理用のプログラム1230をさらに記憶し、且つ処理器1210の制御下で該プログラム1230を実行することもできる。
【０１５９】
例えば、処理器1210は、プログラム1230を実行して、ビットマップフィールドによりユーザ装置に重複伝送のアクティベーション又はディアクティベーションのための命令を送信することで、前記ユーザ装置における１つ又は複数のPDCP実体又はRBの重複伝送をアクティベーション又はディアクティベーションするというような制御を行うように構成されても良い。
【０１６０】
或いは、処理器1210は、プログラム1230を実行して次のような制御を行うように構成されても良く、即ち、１つ又は複数のネットワーク装置送信の重複伝送設定要求メッセージを受信し、前記重複伝送設定要求メッセージは、ユーザ装置における１つ又は複数のPDCP実体又はRBの重複伝送モードのアクティベーションの要否を指示ために用いられる。
【０１６１】
又は、処理器1210は、プログラム1230を実行して次のような制御を行うように構成されても良く、即ち、１つ又は複数のネットワーク装置に重複伝送設定要求メッセージを送信し、前記重複伝送設定要求メッセージは、ユーザ装置における１つ又は複数のPDCP実体又はRBの重複伝送モードのアクティベーションの要否を指示ために用いられる。
【０１６２】
或いは、処理器1210は、プログラム1230を実行して次のような制御を行うように構成されても良く、即ち、１つ又は複数のネットワーク装置に重複伝送設定通知メッセージを送信し、前記１つ又は複数のネットワーク装置に、ユーザ装置における１つ又は複数のPDCP実体又はRBが重複伝送モードをアクティベーションするかを通知する。
【０１６３】
或いは、処理器1210は、プログラム1230を実行して次のような制御を行うように構成されても良く、即ち、１つ又は複数のネットワーク装置送信の重複伝送設定通知メッセージを受信し、前記重複伝送設定通知メッセージは、前記１つ又は複数のネットワーク装置に、ユーザ装置における１つ又は複数のPDCP実体又はRBが重複伝送モードをアクティベーションするかを通知するために用いられる。
【０１６４】
また、図12に示すように、ネットワーク装置1200は、さらに、送受信機1240、アンテナ1250などを含んでも良く、そのうち、これらの部品の機能が従来技術と同様であるため、ここでは、その詳しい説明を省略する。なお、ネットワーク装置1200は、図12に示す全ての部品を含む必要がない。また、ネットワーク装置1200は、図12に無い部品をさらに含んでも良く、これについては、従来技術を参照することができる。
【０１６５】
本発明の実施例は、さらに、ユーザ装置を提供するが、本発明では、これに限定されず、他の装置であっても良い。
【０１６６】
図13は、本発明の実施例におけるユーザ装置を示す図である。図13に示すように、該ユーザ装置1300は、処理器1310及び記憶器1320を含んでも良く、記憶器1320は、データ及びプログラムを記憶し、且つ処理器1310に接続される。なお、該図は、例示に過ぎず、該構造に対して他の類型の構造を以て補充又は代替を行うことで、電気通信機能又は他の機能を実現しても良い。
【０１６７】
例えば、処理器1310は、次のような制御を行うように構成されても良く、即ち、ネットワーク装置がビットマップフィールドにより送信する重複伝送のアクティベーション又はディアクティベーションのための命令を受信し、そして、前記ビットマップフィールドに基づいて、１つ又は複数のPDCP実体又はRBの重複伝送をアクティベーション又はディアクティベーションする。
【０１６８】
図13に示すように、該ユーザ装置1300は、さらに、通信モジュール1330、入力ユニット1340、表示器1350、電源1360などを含んでも良い。そのうち、これらの部品の機能が従来技術と同様であるため、ここでは、その詳しい説明を割愛する。なお、ユーザ装置1300は、図13に示す全ての部品を含む必要がない。また、ユーザ装置1300は、図13に無い部品をさらに含んでも良く、これについては、従来技術を参照することができる。
【０１６９】
本発明の実施例は、さらに、コンピュータ可読プログラムを提供し、そのうち、ネットワーク装置中で前記プログラムを実行するときに、前記プログラムは、前記ネットワーク装置に、実施例1乃至3に記載の命令指示方法又は情報交換方法を実行させる。
【０１７０】
本発明の実施例は、さらに、コンピュータ可読プログラムを記憶した記憶媒体を提供し、そのうち、前記コンピュータ可読プログラムは、ネットワーク装置に、実施例1乃至3に記載の命令指示方法又は情報交換方法を実行させる。
【０１７１】
本発明の実施例は、さらに、コンピュータ可読プログラムを提供し、そのうち、ユーザ装置中で前記プログラムを実行するときに、前記プログラムは、前記ユーザ装置に、実施例1に記載の命令受信方法を実行させる。
【０１７２】
本発明の実施例は、さらに、コンピュータ可読プログラムを記憶した記憶媒体を提供し、そのうち、前記コンピュータ可読プログラムは、ユーザ装置に、実施例1に記載の命令受信方法を実行させる。
【０１７３】
また、上述の装置及び方法は、ソフトウェア又はハードウェアにより実現されても良く、ハードウェアとソフトウェアとの組み合わせにより実現されても良い。本発明は、さらに、下記のようなコンピュータ読み取り可能なプログラムに関し、即ち、該プログラムは、ロジック部品により実行されるときに、該ロジック部品に、上述のユーザ装置又は構成部品を実現させ、又は、該ロジック部品に、上述の各種の方法又はステップを実現させる。ロジック部品は、例えば、FPGA（Field  Programmable  Gate  Array）、マイクロプロセッサ、コンピュータに用いる処理器などであっても良い。本発明は、さらに、上述のプログラムを記憶した記憶媒体、例えば、ハードディスク、磁気ディスク、光ハードディスク、DVD、フラッシュメモリなどにも関する。
【０１７４】
さらに、図面に記載の機能ブロックのうちの1つ又は複数の組み合わせ及び／又は機能ブロックの1つ又は複数の組み合わせは、本明細書に記載の機能を実行するための汎用処理器、デジタル信号処理器（DSP）、特定用途向け集積回路（ASIC）、フィールドプログラマブルゲートアレイ（FPGA）又は他のプログラム可能な論理部品、ディスクリートゲート又はトランジスタ論理部品、ディスクリートハードウェアアセンブリ又は他の任意の適切な組む合わせとして実現されても良い。また、図面に記載の機能ブロックのうちの1つ又は複数の組み合わせ及び／又は機能ブロックの1つ又は複数の組み合わせは、さらに、計算装置の組み合わせ、例えば、DSP及びマイクロプロセッサの組み合わせ、複数のマイクロプロセッサ、DSPと通信により接続される1つ又は複数のマイクロプロセッサ又は他の任意の構成の組み合わせとして構成されても良い。
【０１７５】
以上、本発明の好ましい実施形態を説明したが、本発明はこのような実施形態に限定されず、本発明の趣旨を離脱しない限り、本発明に対するあらゆる変更は本発明の技術的範囲に属する。
【０１７６】
また、上述の実施例などに関し、さらに以下のような付記を開示する。
【０１７７】
（付記1）
命令指示方法であって、
ネットワーク装置がビットマップフィールドによりユーザ装置に重複伝送のアクティベーション又はディアクティベーションのための命令を送信することで、前記ユーザ装置における１つ又は複数のパケットデータコンバージェンスプロトコル実体又は無線ベアラの重複伝送をアクティベーション又はディアクティベーションすることを含む、方法。
【０１７８】
（付記2）
付記1に記載の命令指示方法であって、
前記ビットマップフィールドにおける１つのビット又は複数のビットが、１つの前記パケットデータコンバージェンスプロトコル実体又は無線ベアラに対応する、方法。
【０１７９】
（付記3）
付記2に記載の命令指示方法であって、
前記ビットマップフィールドにおける第i個目のビット又は第i対目のビットが、データ無線ベアラ標識がiであるパケットデータコンバージェンスプロトコル実体に対応し；又は
前記ビットマップフィールドにおける第i個目のビット又は第i対目のビットが、重複伝送標識がiであるパケットデータコンバージェンスプロトコル実体に対応する、方法。
【０１８０】
（付記4）
付記2に記載の命令指示方法であって、
前記ビットマップフィールドにおける第i個目のビット又は第i対目のビットが、前記ユーザ装置中で重複伝送と設定されるパケットデータコンバージェンスプロトコル実体に対して並べ替えを行った後の第i個目のパケットデータコンバージェンスプロトコル実体に対応する、方法。
【０１８１】
（付記5）
付記4に記載の命令指示方法であって、
重複伝送と前記設定されるパケットデータコンバージェンスプロトコル実体は、ネットワーク装置が重複伝送を設定する先後の順序に従って並べ替えられ、又は、対応するデータ無線ベアラ標識の大小の順序に従って並べ替えられる、方法。
【０１８２】
（付記6）
付記2に記載の命令指示方法であって、
前記ビットマップフィールドにおける１つのビット又は複数のビットの１つの値が、対応する前記パケットデータコンバージェンスプロトコル実体の伝送状態の変更を指示し、もう１つの値が、対応する前記パケットデータコンバージェンスプロトコル実体の伝送状態の維持を指示するために用いられる、方法。
【０１８３】
（付記7）
付記2に記載の命令指示方法であって、
前記ビットマップフィールドにおける１つのビット又は複数のビットが、対応する前記パケットデータコンバージェンスプロトコル実体が次のような操作のうちの１つを実行するように指示するために用いられ、即ち、
前記パケットデータコンバージェンスプロトコル実体の重複伝送がアクティベーションされ、且つ前記パケットデータコンバージェンスプロトコル実体が同時に複数のリンク上で重複伝送され；
前記パケットデータコンバージェンスプロトコル実体の重複伝送がディアクティベーションされ、且つ前記パケットデータコンバージェンスプロトコル実体が同時に複数のリンク上でスプリット伝送され；及び
前記パケットデータコンバージェンスプロトコル実体の重複伝送がディアクティベーションされ、且つ前記パケットデータコンバージェンスプロトコル実体が指定の無線リンク制御実体上でシングルリンク伝送される操作である、方法。
【０１８４】
（付記8）
付記1に記載の命令指示方法であって、さらに、
前記ユーザ装置の無線リンク品質及び／又はトラフィック特徴、及び／又は、１つ又は複数のネットワーク装置送信の重複伝送設定通知メッセージに基づいて、前記１つ又は複数のパケットデータコンバージェンスプロトコル実体又は無線ベアラが重複伝送モードをアクティベーションするかを確定することを含む、方法。
【０１８５】
（付記9）
情報交換方法であって、
ネットワーク装置が、１つ又は複数の他のネットワーク装置送信の重複伝送設定要求メッセージを受信することを含み、
前記重複伝送設定要求メッセージは、ユーザ装置における１つ又は複数のパケットデータコンバージェンスプロトコル実体又は無線ベアラが重複伝送モードをアクティベーションする必要があるかを指示するために用いられる、方法。
【０１８６】
（付記10）
付記9に記載の情報交換方法であって、
前記重複伝送設定要求メッセージは、前記ユーザ装置の標識、１つ又は複数のパケットデータコンバージェンスプロトコル実体の標識又は１つ又は複数のデータ無線ベアラの標識、前記１つ又は複数のパケットデータコンバージェンスプロトコル実体又は１つ又は複数の無線ベアラの重複伝送のアクティベーション又はディアクティベーションのための指示情報を含む、方法。
【０１８７】
（付記11）
付記9に記載の情報交換方法であって、さらに、
前記ユーザ装置の無線リンク品質及び／又はトラフィック特徴、及び／又は、前記１つ又は複数の他のネットワーク装置送信の前記重複伝送設定要求メッセージに基づいて、前記１つ又は複数のパケットデータコンバージェンスプロトコル実体又は無線ベアラが重複伝送モードをアクティベーションするかを確定することを含む、方法。
【０１８８】
（付記12）
付記11に記載の情報交換方法であって、さらに、
ネットワーク装置が１つ又は複数の他のネットワーク装置に重複伝送設定通知メッセージを送信し、前記１つ又は複数の他のネットワーク装置に、前記ユーザ装置における１つ又は複数のパケットデータコンバージェンスプロトコル実体又は無線ベアラが重複伝送モードをアクティベーションするかを通知することを含む、方法。
【０１８９】
（付記13）
付記12に記載の情報交換方法であって、
前記重複伝送設定通知メッセージは、前記ユーザ装置の標識、１つ又は複数のパケットデータコンバージェンスプロトコル実体の標識又は１つ又は複数のデータ無線ベアラの標識、前記１つ又は複数のパケットデータコンバージェンスプロトコル実体又は１つ又は複数の無線ベアラの重複伝送のアクティベーション又はディアクティベーションのための指示情報を含む、方法。
【０１９０】
（付記14）
付記12に記載の情報交換方法であって、
前記重複伝送設定通知メッセージは、前記ユーザ装置の標識、１つ又は複数のパケットデータコンバージェンスプロトコル実体又は１つ又は複数の無線ベアラの重複伝送に対してアクティベーション又はディアクティベーションを行うためのビットマップフィールドを含む、方法。
【０１９１】
（付記15）
情報交換方法であって、
ネットワーク装置が１つ又は複数の他のネットワーク装置に重複伝送設定通知メッセージを送信し、前記１つ又は複数の他のネットワーク装置に、ユーザ装置における１つ又は複数のパケットデータコンバージェンスプロトコル実体又は無線ベアラが重複伝送モードをアクティベーションするかを通知することを含む、方法。
【０１９２】
（付記16）
付記15に記載の情報交換方法であって、
前記重複伝送設定通知メッセージは、前記ユーザ装置の標識、１つ又は複数のパケットデータコンバージェンスプロトコル実体の標識又は１つ又は複数のデータ無線ベアラの標識、前記１つ又は複数のパケットデータコンバージェンスプロトコル実体又は１つ又は複数の無線ベアラの重複伝送のアクティベーション又はディアクティベーションのための指示情報を含む、方法。
【０１９３】
（付記17）
付記15に記載の情報交換方法であって、
前記重複伝送設定通知メッセージは、前記ユーザ装置の標識、１つ又は複数のパケットデータコンバージェンスプロトコル実体又は１つ又は複数の無線ベアラの重複伝送に対してアクティベーション又はディアクティベーションを行うためのビットマップフィールドを含む、方法。
【０１９４】
（付記18）
付記15に記載の情報交換方法であって、さらに、
前記ユーザ装置の無線リンク品質及び／又はトラフィック特徴、及び／又は、前記１つ又は複数の他のネットワーク装置送信の重複伝送設定要求メッセージに基づいて、前記１つ又は複数のパケットデータコンバージェンスプロトコル実体又は無線ベアラが重複伝送モードをアクティベーションするかを確定することを含む、方法。
【０１９５】
（付記19）
付記18に記載の情報交換方法であって、さらに、
ネットワーク装置が、１つ又は複数の他のネットワーク装置送信の前記重複伝送設定要求メッセージを受信し、前記重複伝送設定要求メッセージは、前記ユーザ装置における１つ又は複数のパケットデータコンバージェンスプロトコル実体又は無線ベアラが重複伝送モードをアクティベーションする必要があるかを指示するために用いられる、方法。
【０１９６】
（付記20）
付記19に記載の情報交換方法であって、
前記重複伝送設定要求メッセージは、前記ユーザ装置の標識、１つ又は複数のパケットデータコンバージェンスプロトコル実体の標識又は１つ又は複数のデータ無線ベアラの標識、前記１つ又は複数のパケットデータコンバージェンスプロトコル実体又は１つ又は複数の無線ベアラの重複伝送のアクティベーション又はディアクティベーションのための指示情報を含む、方法。
【０１９７】
（付記21）
命令指示方法であって、
ネットワーク装置が、ユーザ装置に重複伝送のアクティベーション又はディアクティベーションのための命令を送信することを含み、
前記命令は、前記ユーザ装置が以下の操作のうちの1つ又は複数を行うように指示し、即ち、
パケットデータコンバージェンスプロトコル実体の重複伝送がアクティベーションされ、且つ前記パケットデータコンバージェンスプロトコル実体が同時に複数のリンク上で重複伝送され；
パケットデータコンバージェンスプロトコル実体の重複伝送がディアクティベーションされ、且つ前記パケットデータコンバージェンスプロトコル実体が同時に複数のリンク上でスプリット伝送され；
パケットデータコンバージェンスプロトコル実体の重複伝送がディアクティベーションされ、且つ前記パケットデータコンバージェンスプロトコル実体が第一無線リンク制御実体上でシングルリンク伝送され；及び
パケットデータコンバージェンスプロトコル実体の重複伝送がディアクティベーションされ、且つ前記パケットデータコンバージェンスプロトコル実体が第二無線リンク制御実体上でシングルリンク伝送される操作である、方法。
【０１９８】
（付記22）
設定方法であって、
ネットワーク装置がユーザ装置に設定命令を送信することを含み、
前記設定命令は、前記ユーザ装置が以下の操作のうちの１つを実行するように指示し、即ち、
パケットデータコンバージェンスプロトコル実体の初期伝送状態が重複伝送のディアクティベーション状態であり、且つ前記パケットデータコンバージェンスプロトコル実体が同時に複数のリンク上でスプリット伝送され；
パケットデータコンバージェンスプロトコル実体の初期伝送状態が重複伝送のディアクティベーション状態であり、且つ前記パケットデータコンバージェンスプロトコル実体が第一無線リンク制御実体上でシングルリンク伝送され；及び
パケットデータコンバージェンスプロトコル実体の初期伝送状態が重複伝送のディアクティベーション状態であり、且つ前記パケットデータコンバージェンスプロトコル実体が第二無線リンク制御実体上でシングルリンク伝送される操作である、方法。
【０１９９】
（付記23）
命令受信方法であって、
ユーザ装置が、ネットワーク装置がビットマップフィールドにより送信する重複伝送のアクティベーション又はディアクティベーションのための命令を受信し；及び
前記ユーザ装置が、前記ビットマップフィールドに基づいて、１つ又は複数のパケットデータコンバージェンスプロトコル実体又は無線ベアラの重複伝送をアクティベーション又はディアクティベーションすることを含む、方法。
【０２００】
（付記24）
処理器と、前記処理器に接続される記憶器とを含むネットワーク装置であって、
前記処理器は、付記1乃至22に記載の方法を実行する、ネットワーク装置。
【０２０１】
（付記25）
処理器と、前記処理器に接続される記憶器とを含むユーザ装置であって、
前記処理器は、付記23に記載の方法を実行する、ユーザ装置。
【０２０２】
（付記26）
付記24に記載のネットワーク装置及び／又は付記25に記載のユーザ装置を含む、通信システム。
【図１】
2020528687.tif 000003
【図２】
2020528687.tif 000004
【図３】
2020528687.tif 000005
【図４】
2020528687.tif 000006
【図５】
2020528687.tif 000007
【図６】
2020528687.tif 000008
【図７】
2020528687.tif 000009
【図８】
2020528687.tif 000010
【図９】
2020528687.tif 000011
【図１０】
2020528687.tif 000012
【図１１】
2020528687.tif 000013
【図１２】
2020528687.tif 000014
【図１３】
2020528687.tif 000015
【手続補正書】
【提出日】令和2年1月27日(2020.1.27)
【手続補正１】
【補正対象書類名】特許請求の範囲
【補正対象項目名】全文
【補正方法】変更
【補正の内容】
【特許請求の範囲】
【請求項１】
命令指示装置であって、
複数の指令を記憶した記憶器；及び
前記記憶器に接続される処理器を含み、
前記処理器は、前記指令を実行することによって以下の操作を実現するように構成され、即ち、
ビットマップフィールドによりユーザ装置に重複伝送のアクティベーション又はディアクティベーションのための命令を送信し、前記ユーザ装置における１つ又は複数のパケットデータコンバージェンスプロトコル実体又は無線ベアラの重複伝送をアクティベーション又はディアクティベーションする、装置。
【請求項２】
請求項1に記載の命令指示装置であって、
前記ビットマップフィールドにおける１つのビット又は複数のビットが、１つの前記パケットデータコンバージェンスプロトコル実体又は無線ベアラに対応する、装置。
【請求項３】
請求項2に記載の命令指示装置であって、
前記ビットマップフィールドにおける第i個目のビット又は第i対目（i-th  pair）のビットが、データ無線ベアラ標識がiであるパケットデータコンバージェンスプロトコル実体に対応し；又は
前記ビットマップフィールドにおける第i個目のビット又は第i対目（i-th  pair）のビットが、重複伝送標識がiであるパケットデータコンバージェンスプロトコル実体に対応する、装置。
【請求項４】
請求項2に記載の命令指示装置であって、
前記ビットマップフィールドにおける第i個目のビット又は第i対目（i-th  pair）のビットが、前記ユーザ装置中で重複伝送と設定されるパケットデータコンバージェンスプロトコル実体に対して並べ替えを行った後の第i個目のパケットデータコンバージェンスプロトコル実体に対応する、装置。
【請求項５】
請求項4に記載の命令指示装置であって、
重複伝送と設定される前記パケットデータコンバージェンスプロトコル実体が、ネットワーク装置が重複伝送を設定する先後の順序に従って並べ替えられ、又は、対応するデータ無線ベアラ標識の大小の順序に従って並べ替えられる、装置。
【請求項６】
請求項2に記載の命令指示装置であって、
前記ビットマップフィールドにおける１つのビット又は複数のビットの１つの値が、対応する前記パケットデータコンバージェンスプロトコル実体の重複伝送状態の変更を指示するために用いられ、もう１つの値が、対応する前記パケットデータコンバージェンスプロトコル実体の重複伝送状態の維持を指示するために用いられる、装置。
【請求項７】
請求項2に記載の命令指示装置であって、
前記ビットマップフィールドにおける１つのビット又は複数のビットが、対応する前記パケットデータコンバージェンスプロトコル実体が以下の操作のうちの１つを行うように指示するために用いられ、即ち、
前記パケットデータコンバージェンスプロトコル実体の重複伝送がアクティベーションされ、且つ前記パケットデータコンバージェンスプロトコル実体が同時に複数のリンク上で重複伝送され；
前記パケットデータコンバージェンスプロトコル実体の重複伝送がディアクティベーションされ、且つ前記パケットデータコンバージェンスプロトコル実体が同時に複数のリンク上でスプリット伝送され；及び
前記パケットデータコンバージェンスプロトコル実体の重複伝送がディアクティベーションされ、且つ前記パケットデータコンバージェンスプロトコル実体が指定の無線リンク制御実体上でシングルリンク伝送される、装置。
【請求項８】
請求項1に記載の命令指示装置であって、
前記処理器は、さらに、前記ユーザ装置の無線リンク品質及び／又はトラフィック特徴、及び／又は、１つ又は複数のネットワーク装置送信の重複伝送設定通知メッセージに基づいて、前記１つ又は複数のパケットデータコンバージェンスプロトコル実体又は無線ベアラが重複伝送モードをアクティベーションするかを確定する、装置。
【請求項９】
情報交換装置であって、
複数の指令を記憶した記憶器；及び
前記記憶器に接続される処理器を含み、
前記処理器は、前記指令を実行することによって以下の操作を実現するように構成され、即ち、
１つ又は複数のネットワーク装置送信の重複伝送設定要求メッセージを受信し、前記重複伝送設定要求メッセージは、ユーザ装置における１つ又は複数のパケットデータコンバージェンスプロトコル実体又は無線ベアラが重複伝送モードをアクティベーションする必要があるかを指示するために用いられる、装置。
【請求項１０】
請求項9に記載の情報交換装置であって、
前記重複伝送設定要求メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１１】
請求項9に記載の情報交換装置であって、
前記処理器は、さらに、前記ユーザ装置の無線リンク品質及び／又はトラフィック特徴、及び／又は、前記１つ又は複数のネットワーク装置送信の前記重複伝送設定要求メッセージに基づいて、前記１つ又は複数のパケットデータコンバージェンスプロトコル実体又は無線ベアラが重複伝送モードをアクティベーションするかを確定する、装置。
【請求項１２】
請求項11に記載の情報交換装置であって、
前記処理器は、さらに、１つ又は複数のネットワーク装置に重複伝送設定通知メッセージを送信し、前記１つ又は複数のネットワーク装置に、前記ユーザ装置における１つ又は複数のパケットデータコンバージェンスプロトコル実体又は無線ベアラが重複伝送モードをアクティベーションするかを通知する、装置。
【請求項１３】
請求項12に記載の情報交換装置であって、
前記重複伝送設定通知メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１４】
請求項12に記載の情報交換装置であって、
前記重複伝送設定通知メッセージは、前記ユーザ装置の標識、及び、１つ又は複数のパケットデータコンバージェンスプロトコル実体又は１つ又は複数の無線ベアラの重複伝送に対してアクティベーション又はディアクティベーションを行うためのビットマップフィールドを含む、装置。
【請求項１５】
情報交換装置であって、
複数の指令を記憶した記憶器；及び
前記記憶器に接続される処理器を含み、
前記処理器は、前記指令を実行することによって以下の操作を実現するように構成され、即ち、
１つ又は複数のネットワーク装置に重複伝送設定通知メッセージを送信し、前記１つ又は複数のネットワーク装置に、ユーザ装置における１つ又は複数のパケットデータコンバージェンスプロトコル実体又は無線ベアラが重複伝送モードをアクティベーションするかを通知する、装置。
【請求項１６】
請求項15に記載の情報交換装置であって、
前記重複伝送設定通知メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【請求項１７】
請求項15に記載の情報交換装置であって、
前記重複伝送設定通知メッセージは、前記ユーザ装置の標識、及び、１つ又は複数のパケットデータコンバージェンスプロトコル実体又は１つ又は複数の無線ベアラの重複伝送に対してアクティベーション又はディアクティベーションを行うためのビットマップフィールドを含む、装置。
【請求項１８】
請求項15に記載の情報交換装置であって、
前記処理器は、さらに、前記ユーザ装置の無線リンク品質及び／又はトラフィック特徴、及び／又は、前記１つ又は複数のネットワーク装置送信の重複伝送設定要求メッセージに基づいて、前記１つ又は複数のパケットデータコンバージェンスプロトコル実体又は無線ベアラが重複伝送モードをアクティベーションするかを確定する、装置。
【請求項１９】
請求項18に記載の情報交換装置であって、
前記処理器は、さらに、１つ又は複数のネットワーク装置送信の前記重複伝送設定要求メッセージを受信し、前記重複伝送設定要求メッセージは、前記ユーザ装置における１つ又は複数のパケットデータコンバージェンスプロトコル実体又は無線ベアラが重複伝送モードをアクティベーションする必要があるかを指示するために用いられる、装置。
【請求項２０】
請求項19に記載の情報交換装置であって、
前記重複伝送設定要求メッセージは、前記ユーザ装置の標識、１つ又は複数のパケットデータコンバージェンスプロトコル実体の標識又は１つ又は複数のデータ無線ベアラの標識、及び、前記１つ又は複数のパケットデータコンバージェンスプロトコル実体又は１つ又は複数の無線ベアラの重複伝送に対してアクティベーション又はディアクティベーションを行うための指示情報を含む、装置。
【国際調査報告】
2020528687.tif 000016
2020528687.tif 000017
2020528687.tif 000018
2020528687.tif 000019